(57)【要約】【課題】消去処理時間を短縮させて消費電力を抑えつつ、残像の発生を防止することのできる電気泳動装置の駆動方法、電気泳動装置、電子機器を提供する。【解決手段】本発明の電気泳動装置の駆動方法は、一対の基板間に電気泳動素子を挟持してなり、行方向及び列方向に配置された画素と、画素毎に設けられる画素電極と、画素電極に対向する対向電極と、を有する電気泳動装置の駆動方法であって、表示部の画像を消去する際に、隣り合う第１の画素及び第２の画素の画素電極に、対向電極の電位に対して同極性で互いに異なる電圧をそれぞれ印加する方法である。【選択図】図６
2011107249.tif 000002
【特許請求の範囲】
【請求項１】
一対の基板間に電気泳動素子を挟持してなり、行方向及び列方向に配置された画素と、前記画素毎に設けられる画素電極と、前記画素電極に対向する対向電極と、を有する表示部を備えた電気泳動表示装置の駆動方法であって、
前記表示部の画像を消去する際に、隣り合う第１の前記画素及び第２の前記画素の前記画素電極に、前記対向電極の電位に対して同極性で互いに異なる電圧をそれぞれ印加することを特徴とする電気泳動装置の駆動方法。
【請求項２】
前記第１の画素の前記画素電極に第１電圧を印加し、前記第２の画素の前記画素電極に第１電圧とは異なった第２電圧を印加する第１ステップと、
前記第１の画素の前記画素電極に前記第２電圧を印加し、前記第２の画素の前記画素電極に前記第１電圧を印加する第２ステップと、を有することを特徴とする請求項１記載の電気泳動装置の駆動方法。
【請求項３】
前記第１の画素が奇数行に属する画素であり、前記第２の画素が偶数行に属する画素であることを特徴とする請求項１または２記載の電気泳動装置の駆動方法。
【請求項４】
前記第１の画素が奇数列に属する画素であり、前記第２の画素が偶数列に属する画素であることを特徴とする請求項１または２記載の電気泳動装置の駆動方法。
【請求項５】
前記第１ステップ及び前記第２ステップにおいて、
全行の前記画素電極に前記第１電圧あるいは前記第２電圧を印加することを特徴とする請求項２または３記載の電気泳動装置の駆動方法。
【請求項６】
前記第１ステップ及び前記第２ステップにおいて、
全列の前記画素電極に前記第１電圧あるいは前記第２電圧を印加することを特徴とする請求項２または４記載の電気泳動装置の駆動方法。
【請求項７】
前記第１の画素が、奇数行奇数列に属する画素および偶数行偶数列に属する画素であり、
前記第２の画素が、奇数列偶数列に属する画素および偶数行奇数列に属する画素であることを特徴とする１または２記載の電気泳動装置の駆動方法。
【請求項８】
前記第１の画素が２行１列の第１の画素群を形成し、
前記第２の画素が前記第１の画素群と行方向及び列方向において隣り合う２行１列の第２の画素群を形成することを特徴とする請求項１または２記載の電気泳動装置の駆動方法。
【請求項９】
前記第１ステップ及び前記第２ステップを複数回繰り返し実施することを特徴とする請求項２ないし８のいずれか一項に記載の電気泳動装置の駆動方法。
【請求項１０】
一対の基板間に電気光学素子を挟持してなり、行方向及び列方向に配置された画素と、前記画素毎に設けられる画素電極と、前記画素電極に対向する対向電極と、を有する表示部を備えた電気泳動装置であって、
前記表示部の画像を消去する際に、隣り合う第１の画素及び第２の画素の前記画素電極に、前記対向電極の電位に対して同極性で互いに異なる電圧をそれぞれ印加する制御部を備えたことを特徴とする電気泳動装置。
【請求項１１】
請求項１０に記載の電気泳動装置を備えたことを特徴とする電子機器。
【発明の詳細な説明】
【技術分野】
【０００１】
本発明は、電気泳動装置の駆動方法、電気泳動装置、電子機器に関するものである。
【背景技術】
【０００２】
電気泳動装置としての電気泳動表示装置では、新たな表示内容を書き込む前に、保持されている表示内容を消去するようになっており、全ての画素電極に同時に背景色（例えば、白）にする電圧を印加する消去方法が開示されている（特許文献１）。
【先行技術文献】
【特許文献】
【０００３】
【特許文献１】特開２００５−１４８７１１号公報
【発明の概要】
【発明が解決しようとする課題】
【０００４】
しかしながら、上記特許文献における消去方法では、前の表示画像が薄く残る、いわゆる残像が発生してしまうことが分かっている。
【０００５】
本発明は、上記従来技術の問題点に鑑み成されたものであって、残像の発生を抑えつつ画像を消去することのできる電気泳動装置の駆動方法、電気泳動装置、電子機器を提供することを目的の一つとしている。
【課題を解決するための手段】
【０００６】
本発明の電気泳動装置の駆動方法は、一対の基板間に電気泳動素子を挟持してなり、行方向及び列方向に配置された画素と、前記画素毎に設けられる画素電極と、前記画素電極に対向する対向電極と、を有する表示部を備えた電気泳動表示装置の駆動方法であって、前記表示部の画像を消去する際に、隣り合う第１の前記画素及び第２の前記画素の前記画素電極に、前記対向電極の電位に対して同極性で互いに異なる電圧をそれぞれ印加することを特徴とする。
【０００７】
本発明によれば、隣り合う第１の画素の画素電極と第２の画素の画素電極との間に電位差を設けることで、これら第１の画素及び第２の画素の画素電極間に電界を生じさせることができる。これにより、残像の発生を抑えつつ画像を消去することができる。
【０００８】
また、前記第１の画素の前記画素電極に第１電圧を印加し、前記第２の画素の前記画素電極に第１電圧とは異なった第２電圧を印加する第１ステップと、前記第１の画素の前記画素電極に前記第２電圧を印加し、前記第２の画素の前記画素電極に前記第１電圧を印加する第２ステップと、を有することが好ましい。
【０００９】
本発明によれば、第１の画素の画素電極と第２の画素の画素電極とに印加する電圧をステップ毎に反転させることによって、ステップ毎に第１の画素及び第２の画素の画素電極間に異なる方向の電界を生じさせることができる。これにより、残像抑制効果が向上するとともに、各画素の応答時間を短縮することが可能となり、省電力性に優れた電気泳動装置の駆動方法となる。
【００１０】
また、前記第１の画素が奇数行に属する画素であり、前記第２の画素が偶数行に属する画素であることが好ましい。
本発明によれば、行方向で隣り合う画素の画素電極間に電位差を生じさせることができ
る。これにより、行方向において残像の発生を抑えつつ画像を消去することができる。
【００１１】
また、前記第１の画素が奇数列に属する画素であり、前記第２の画素が偶数列に属する画素であることが好ましい。
本発明によれば、列方向で隣り合う画素の画素電極間に電位差を生じさせることができ
る。これにより、列方向における残像の発生を抑えつつ画像を消去することができる。
【００１２】
また、前記第１ステップ及び前記第２ステップにおいて、全行の前記画素電極に前記第１電圧あるいは前記第２電圧を印加することが好ましい。
本発明によれば、全行選択が可能となり、画像消去に係る処理時間を大幅に短縮させることができる。これにより、省電力性により優れた電気泳動装置の駆動方法となる。
【００１３】
また、前記第１ステップ及び前記第２ステップにおいて、全列の前記画素電極に前記第１電圧あるいは前記第２電圧を印加することが好ましい。
本発明によれば、全列選択が可能となり、画像消去に係る処理時間をより短縮させることができる。これにより、省電力性により優れた電気泳動装置の駆動方法となる。
【００１４】
また、前記第１の画素が、奇数行奇数列に属する画素および偶数行偶数列に属する画素であり、前記第２の画素が、奇数列偶数列に属する画素および偶数行奇数列に属する画素であることが好ましい。
本発明によれば、第１の画素と第２の画素とが市松状に規定され、上下方向及び左右方向で隣り合う画素電極間に異なる電圧を印加することで、各画素の４辺方向のそれぞれに電界が生じるので、各画素の境界における残像の発生をより防止することが可能となる。
【００１５】
また、前記第１の画素が２行１列の第１の画素群を形成し、前記第２の画素が前記第１の画素群と行方向及び列方向において隣り合う２行１列の第２の画素群を形成することが好ましい。
本発明によれば、２行１列の画素群単位で市松状にリセットされる。連続する２行の画素に対して同じ電圧を印加すればよいため、制御が容易になるとともに電力消費が軽減される。
【００１６】
また、前記第１ステップ及び前記第２ステップを複数回繰り返し実施することが好ましい。
本発明によれば、第１ステップ及び第２ステップを複数回繰り返し実施することにより、表示部における全画素を確実にリセットすることが可能である。
【００１７】
本発明の電気泳動装置は、一対の基板間に電気光学素子を挟持してなり、行方向及び列方向に配置された画素と、前記画素毎に設けられる画素電極と、前記画素電極に対向する対向電極と、を有する表示部を備えた電気泳動装置であって、前記表示部の画像を消去する際に、隣り合う第１の画素及び第２の画素の前記画素電極に、前記対向電極の電位に対して同極性で互いに異なる電圧をそれぞれ印加する制御部を備えたことが好ましい。
【００１８】
本発明によれば、隣り合う第１の画素の画素電極と第２の画素の画素電極との間に電位差を与える制御部を備えたことで、第１の画素及び第２の画素の画素電極間に電界を生じさせることができる。これにより、残像の発生を抑えつつ画像を消去することができる。
【００１９】
本発明の電子機器は、電気泳動装置を備えたことを特徴とする。
本発明によれば、残像を発生させずに画像を消去する機能や表示むらのない高品質の画像を表示する機能を備えた表示手段を具備した電子機器となる。
【図面の簡単な説明】
【００２０】
【図１】第１実施形態に係る電気泳動表示装置の概略構成図。
【図２】表示体の回路ブロック図。
【図３】表示体の部分断面図及びマイクロカプセルの断面図。
【図４】第１実施形態の画素構成を示す図。
【図５】電気泳動素子の動作説明図。
【図６】電気泳動表示装置の駆動方法を示すタイミングチャート。
【図７】第１実施形態に係る駆動方法の説明の対象とした２画素を示す図。
【図８】第１実施形態に係る駆動方法による画素の切替状態を示す図。
【図９】第２実施形態の電気泳動表示装置の駆動方法を示すタイミングチャート。
【図１０】第２実施形態に係る駆動方法の説明の対象とした画素の切替状態を示す図。
【図１１】第３実施形態の電気泳動表示装置の駆動方法を示すタイミングチャート。
【図１２】第３実施形態に係る駆動方法の説明の対象とした画素の切替状態を示す図。
【図１３】第４実施形態に係る駆動方法を示すタイミングチャート。
【図１４】第５実施形態の電気泳動表示装置の駆動方法を示すタイミングチャート。
【図１５】第６実施形態の電気泳動表示装置の駆動方法を示すタイミングチャート。
【図１６】第７実施形態の電気泳動表示装置の駆動方法を示すタイミングチャート。
【図１７】第７実施形態に係る駆動方法の説明の対象とした画素の切替状態を示す図。
【図１８】第８実施形態の電気泳動表示装置の駆動方法を示すタイミングチャート。
【図１９】第８実施形態に係る駆動方法の説明の対象とした画素の切替状態を示す図。
【図２０】電子機器の一例を示す図。
【図２１】電子機器の一例を示す図。
【図２２】電子機器の一例を示す図。
【発明を実施するための形態】
【００２１】
以下、図面を用いて本発明の実施の形態について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２２】
（第１の実施形態）
図１は、本発明に係る電気泳動装置の一実施形態である電気泳動表示装置の概略構成を示す図である。図２は、本実施形態に係る表示体の回路ブロック図である。図３は、電気泳動表示装置の画素回路を示す図である。
【００２３】
図１に示す電気泳動表示装置（電気泳動装置）１は、表示体２と、コントローラー３と、ＶＲＡＭ（Video Random Access Memory）４と、共通電極駆動回路６とを備えている。
表示体２は、コントローラー３からの制御信号と、共通電極駆動回路６からの電圧供給を受け、画像を表示する。表示体２には、表示部５と、走査線駆動回路６１と、データ線駆動回路６２とが形成されている。
【００２４】
コントローラー３は、電気泳動表示装置１の制御部であり、表示すべき画像データをＶＲＡＭ４から受け取り、表示体２を制御して画像を表示させる。具体的には、表示体２に設けられた走査線駆動回路６１及びデータ線駆動回路６２と共通電極駆動回路６とを制御して画像を表示させる。コントローラー３から出力される制御信号は、例えば、クロック信号、スタートパルス等のタイミング信号や画像データ、電源電圧等である。
ＶＲＡＭ４は、フラッシュメモリー等の記憶部（図示は省略）に記憶された画像データから、表示部５に次に表示させる１枚又は複数枚分の画像データを一時的に保存するために用いられる。
共通電極駆動回路６は、表示体２に設けられた共通電極３７（対向電極；図２，３参照）と接続されており、任意の共通電極電位Ｖcomを共通電極３７に供給する。
【００２５】
表示体２の表示部５には、図２に示すように、Ｘ軸方向に延在する複数の走査線６６（ｙ１、ｙ２、…、ｙｏ）と、Ｙ軸方向に延在する複数のデータ線６８（ｘ１、ｘ２、…、ｘｐ）とが形成されている。走査線６６とデータ線６８との交差部に対応して画素４０が形成され、各々の画素４０に走査線６６とデータ線６８とが接続されている。画素４０は、Ｙ軸方向に沿ってｏ個、Ｘ軸方向に沿ってｐ個のマトリクス状に配列されている。また表示部５には、共通電極駆動回路６と接続された共通電極３７が形成されている。
【００２６】
本実施形態の電気泳動表示装置１において、走査線６６及びデータ線６８の本数は任意の自然数に設定することができる。
【００２７】
画素４０には、画素スイッチング素子としての選択トランジスタ４１と、保持容量３９と、画素電極３５と、共通電極３７と、電気泳動素子３２（電気光学層）とが形成されている。
選択トランジスタ４１はＮ−ＭＯＳ（Negative Metal Oxide Semiconductor）ＴＦＴで構成されている。選択トランジスタ４１のゲートには走査線６６、ソースにはデータ線６８、ドレインには保持容量３９の一方の電極と画素電極３５とがそれぞれ接続されている。
保持容量３９は、後述する素子基板上に形成され、誘電体膜を介して対向配置された一対の電極からなる。保持容量３９の一方の電極は選択トランジスタ４１に接続され、他方の電極は容量線Ｃに接続されている。保持容量３９は選択トランジスタ４１を介して書き込まれた画像信号電圧で充電される。
電気泳動素子３２は、電気泳動粒子をそれぞれ含んでなる複数のマイクロカプセルから構成されている。
【００２８】
図２に示す走査線駆動回路６１は、表示部５に形成された走査線６６と接続されており、各々の走査線６６を介してそれぞれ対応する画素行の画素４０に接続されている。
走査線駆動回路６１は、コントローラー３から供給されるタイミング信号に基づいて、走査線６６（ｙ１、ｙ２、…、ｙｏ）の各々に選択信号をパルス状に順次供給し、走査線６６の一本一本を排他的に順次選択状態にする。選択状態とは、走査線６６に接続される選択トランジスタ４１がオンしている状態である。ここで、選択した走査線６６に対応する走査信号を、水平走査期間にわたってハイレベルに相当する選択電圧（Ｖsel）とし、それ以外の走査線６６に対応する走査信号を、ローレベルに相当する非選択電圧（Ｖnon_sel）とするものである。
【００２９】
共通電極３７には、共通電極駆動回路６から共通電極電位Ｖcomが供給される。共通電極駆動回路６は任意の電位波形を生成可能に構成される。共通電極電位Ｖcomは、一定電位（例えば接地電位）に保持される構成であってもよく、複数の電位（例えばローレベルの電位ＶＬとハイレベルの電位ＶＨ）を入力される構成としてもよい。
【００３０】
データ線駆動回路６２は、表示部５に形成されたデータ線６８と接続されており、各々のデータ線６８を介してそれぞれ対応する画素列の画素４０に接続されている。データ線駆動回路６２は、コントローラー３から供給されるタイミング信号に基づいて、データ線６８（ｘ１、ｘ２、…、ｘｐ）に画像信号を供給する。
本実施形態では、黒色表示されるべき画素４０に対して、共通電極電位Ｖcomを基準に負の電圧Ｖｂ(例えば−１５Ｖ)が供給され、白色表示されるべき画素４０に対して正の電圧Ｖｗ(例えば＋１５Ｖ)が供給される。
【００３１】
容量線Ｃには、図示しない駆動回路から容量線電位Ｖｃが供給される。容量線Ｃを駆動する駆動回路は専用のものを用意してもよいが、走査線駆動回路６１又は共通電極駆動回路６が容量線用の駆動回路を兼ねる構成としてもよい。
【００３２】
画素４０には、選択トランジスタ４１と、画素電極３５と、電気泳動素子（電気光学素子）３２と、共通電極３７と、が設けられている。また、画素４０には、走査線６６と、データ線６８と、容量線Ｃとが接続されている。選択トランジスタ４１は、Ｎ−ＭＯＳ（Negative Metal Oxide Semiconductor）トランジスタである。
なお、選択トランジスタ４１は、それらと同等の機能を有する他の種類のスイッチング素子と置き換えてもよい。例えば、Ｎ−ＭＯＳトランジスタに代えてＰ−ＭＯＳトランジスタを用いてもよく、インバータやトランスミッションゲートを用いてもよい。
【００３３】
選択トランジスタ４１のゲートに走査線６６が接続され、ソースにはデータ線６８が接続されており、ドレインには画素電極３５が接続されている。画素電極３５と共通電極３７との間に電気泳動素子３２が挟持されている。
【００３４】
次に、図３（ａ）は、表示部５における電気泳動表示装置１の部分断面図である。電気泳動表示装置１は、素子基板３０と対向基板３１との間に、複数のマイクロカプセル２０を配列してなる電気泳動素子３２を挟持した構成を備えている。
【００３５】
表示部５において、素子基板３０の電気泳動素子３２側には、図２に示した走査線６６、データ線６８、選択トランジスタ４１などが形成された回路層３４が設けられており、回路層３４上に複数の画素電極３５が配列形成されている。
素子基板３０は、ガラスやプラスチック等からなる基板であり、画像表示面とは反対側に配置されるため透明なものでなくてもよい。画素電極３５は、Ｃｕ（銅）箔上にニッケルメッキと金メッキとをこの順番で積層したものや、Ａｌ（アルミニウム）、ＩＴＯ（インジウム・スズ酸化物）などにより形成された電気泳動素子３２に電圧を印加する電極である。
【００３６】
一方、対向基板３１の電気泳動素子３２側には複数の画素電極３５と対向する平面形状の共通電極３７が形成されており、共通電極３７上に電気泳動素子３２が設けられている。
対向基板３１はガラスやプラスチック等からなる基板であり、画像表示側に配置されるため透明基板とされる。共通電極３７は、画素電極３５とともに電気泳動素子３２に電圧を印加する電極であり、ＭｇＡｇ（マグネシウム銀）、ＩＴＯ（インジウム・スズ酸化物）、ＩＺＯ（インジウム・亜鉛酸化物）などから形成された透明電極である。
そして、電気泳動素子３２と画素電極３５とが、接着剤層３３を介して接着されることで、素子基板３０と対向基板３１とが接合されている。
【００３７】
図３（ｂ）は、マイクロカプセル２０の模式断面図である。マイクロカプセル２０は、例えば５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、図３（ａ）に示すように共通電極３７と画素電極３５とに挟持され、１つの画素４０内に１つ又は複数のマイクロカプセル２０が配置される。
【００３８】
マイクロカプセル２０の外殻部（壁膜）は、ポリメタクリル酸メチル、ポリメタクリル酸エチルなどのアクリル樹脂、ユリア樹脂、アラビアガムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００３９】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６及び白色粒子２７に代えて、例えば赤色、緑色、青色などの顔料を用いてもよい。かかる構成によれば、表示部５に赤色、緑色、青色などを表示することができる。
なお着色した分散媒２１中に単色粒子を分散させたものでも良い。
【００４０】
ここで図４（ａ）は、１つの画素４０における素子基板３０の平面図であり、図４（ｂ）は、図４（ａ）のＡ−Ａ’線に沿う位置における断面図である。
図４（ａ）に示すように、選択トランジスタ４１は、平面視略矩形状の半導体層４１ａと、データ線６８から延出されたソース電極４１ｃと、半導体層４１ａと画素電極３５とを接続するドレイン電極４１ｄと、走査線６６から延出されたゲート電極４１ｅと、を有する。画素電極３５と容量線Ｃとが重なる領域に保持容量３９が形成されている。
【００４１】
図４（ｂ）に示す断面構造を見ると、素子基板３０上に、ＡｌやＡｌ合金からなるゲート電極４１ｅ（走査線６６）が形成されており、ゲート電極４１ｅを覆ってシリコン酸化物やシリコン窒化物からなるゲート絶縁膜４１ｂが形成されている。ゲート絶縁膜４１ｂを介してゲート電極４１ｅと対向する領域にアモルファスシリコンやポリシリコンからなる半導体層４１ａが形成されている。半導体層４１ａに一部乗り上げるようにして、ＡｌやＡｌ合金からなるソース電極４１ｃとドレイン電極４１ｄとが形成されている。ソース電極４１ｃ（データ線６８）、ドレイン電極４１ｄ、半導体層４１ａ、ゲート絶縁膜４１ｂを覆ってシリコン酸化物やシリコン窒化物からなる層間絶縁膜３４ａが形成されている。層間絶縁膜３４ａ上に画素電極３５が形成されている。層間絶縁膜３４ａを貫通しドレイン電極４１ｄに達するコンタクトホール３４ｂを介して画素電極３５とドレイン電極４１ｄとが接続されている。
【００４２】
図５は、電気泳動素子の動作説明図である。図５（ａ）は、画素４０を白表示する場合、図５（ｂ）は、画素４０を黒表示する場合をそれぞれ示している。
図５（ａ）に示す白表示の場合には、共通電極３７が相対的に低電位、画素電極３５が相対的に高電位に保持される。これにより、正に帯電した白色粒子２７が共通電極３７に引き寄せられる一方、負に帯電した黒色粒子２６が画素電極３５に引き寄せられる。その結果、表示面側となる共通電極３７側からこの画素を見ると、白色（Ｗ）が認識される。
図５（ｂ）に示す黒表示の場合、共通電極３７が相対的に高電位、画素電極３５が相対的に低電位に保持される。これにより、負に帯電した黒色粒子２６が共通電極３７に引き寄せられる一方、正に帯電した白色粒子２７が画素電極３５に引き寄せられる。その結果、共通電極３７側からこの画素を見ると黒色（Ｂ）が認識される。
【００４３】
［駆動方法］
次に、図６を参照して本実施形態の電気泳動表示装置の駆動方法について説明する。
図６は、電気泳動表示装置１の駆動方法を示すタイミングチャートである。図６には、電気泳動表示装置１の表示部５に表示された黒表示画像を消去させる画像消去期間において、表示部における各走査線６６（ｙ１、ｙ２、…ｙｏ）、データ線６８（ｘ１、ｘ２、…、ｘｐ）の電位変化が示されている。また、図７は、第１実施形態の駆動方法の説明の対象とした２画素を示す図である。図８は、第１実施形態の駆動方法による画素の切替状態を示す図である。なお、図７に示す２画素は、図８に示すＹ方向（行方向）で隣り合う２つの画素である。
【００４４】
画像消去ステップが実行される以前の表示部５には、所定の黒表示画像が表示されているものとするが、本実施形態では以降の説明を簡単にするため、説明対象の画素４０は黒表示とされているものと仮定する。図７（ａ）及び図８（ａ）に黒表示された複数の画素４０を示す。このとき、画素電極３５及び共通電極３７はいずれも電気的に切断されたハイインピーダンス状態（Ｈｉ−Ｚ）となっている（図７（ａ））。
【００４５】
画像消去ステップでは白消去ステップを実行するものとし、ある走査線６６とその１行隣の走査線６６と、あるデータ線６８とその１列隣りのデータ線６８との交差に対応する各画素４０の書き込みについて述べる。具体的には、走査線６６の奇数行（例えば、ｉ行）及び偶数行（例えば、ｉ＋１行）と、データ線６８の奇数列（例えば、ｊ列）及び偶数列（例えば、ｊ＋１行）との交差に対応する各画素４０の書き込みについて、走査信号とデータ線６８の電圧の関係について述べる。ここで、１≦ｉ≦ｏ、１≦ｊ≦ｐである。
【００４６】
画像消去ステップに移行すると、まず図６に示すように、第１フレーム（１垂直走査期間）Ｆ１において、走査線駆動回路６１により各行の走査線６６を１本ずつ選択して各画素４０に所定の画像信号を入力する。ここで、全ての走査線６６の選択が完了する期間を１フレーム期間１Ｆとする。本実施形態においては、複数ある走査線６６のうちｙ１からｙｏまで１本ずつ順次選択して選択電圧（Ｖsel）を供給し、非選択の走査線６６には非選択電圧（Ｖnon_sel）を供給する。ここで、選択電圧（Ｖsel）は、選択トランジスタ４１をオン状態とするハイレベルの電位であり、非選択電圧（Ｖnon_sel）は、オフ状態とする電位である。(例えば共通電極３７の電位に対して−２０Ｖである。）また、共通電極３７（電位Ｖcom）にはグランド電位ＧＮＤ（０Ｖ）が入力される。そして、走査線６６の走査に同期して全てのデータ線６８に所定の電圧を供給する。
【００４７】
第１フレームＦ１では、走査線駆動回路６１による走査線６６の順次選択動作に同期して、例えば、奇数行の走査線６６（ｙ１、ｙ３、…）に選択電圧（Ｖsel）が印加される期間において、全てのデータ線６８に共通電極３７の電位を基準として画素４０を白くする第１電圧（Ｖｗ）を供給し、偶数行の走査線６６（ｙ２、ｙ４、…）に選択電圧（Ｖsel）が印加される期間において、全てのデータ線６８に第１電圧（Ｖｗ）とは異なる第２電圧（Ｖ０）を供給する。ここで、第１電圧（Ｖｗ）と第２電圧（Ｖ０）は共通電極３７の電位（共通電極電位Ｖcom）に対して同極性である。各データ線６８にそれぞれ入力される矩形パルスのパルス幅は、走査線６６の選択期間に応じて設定される。
【００４８】
本実施形態では、第１電圧（Ｖｗ）として画素電極３５Ａにハイレベル電位（例えば、＋１５Ｖ）を印加し、第２電圧（Ｖ０）として画素電極３５Ｂにローレベル電位（例えば、０Ｖ）を印加する。なお、行方向で隣り合う第１画素４０Ａ及び第２画素４０Ｂの画素電極３５Ａ及び画素電極３５Ｂ間で電位差が生じればＶ０＝０Ｖでなくてもよく、元の表示状態を維持又は白くする電圧であれば任意の電位に設定できる。即ち、第１電圧（Ｖｗ）と第２電圧（Ｖ０）とは共通電極電位Ｖcom（０Ｖ）に対して同極性（正）とする。なお、０Ｖも同極性に含むものとする。
【００４９】
これにより、奇数行（ｉ、ｉ＋２、…）の各画素電極３５Ａにハイレベル（Ｈ）の信号が入力され、偶数行（ｉ＋１、ｉ＋３、…）の各画素電極３５Ｂに元の表示状態を維持するローレベル（Ｌ）の信号が入力されることになる（図８（ｂ））。
【００５０】
すると、第１フレームＦ１では、共通電極３７がローレベルである期間に画素電極３５Ａ（ハイレベル）と共通電極３７との間に生じる電位差によって画素電極３５Ａ上の電気泳動素子３２が駆動される。これにより、図７（ｂ）に示すように、白色粒子２７が共通電極３７側に、黒色粒子２６が画素電極３５Ａ側に引き寄せられて、奇数行（例えば、ｉ行）の第１画素（第１の画素）４０Ａが白くなり始める。その際、奇数行（例えば、ｉ行）の画素電極３５Ａと、偶数行（例えば、ｉ＋１行）の画素電極３５Ｂとの間に電位差が生じているため、行方向で隣り合う画素電極３５Ａ，３５Ｂ間に電界が発生し、第１画素４０Ａ及び第２画素４０Ｂの境界に位置する粒子が移動しやすくなる。ここでいう電界とは、基板面に対して垂直な方向の電界ではなく、斜め方向の電界であって、基板面に平行な電界あるいは基板面に平行な成分を含む。
【００５１】
第１フレームＦ１が終了すると、図８（ｂ）に示すように、奇数行（ｉ、ｉ＋２、…）の全ての第１画素４０Ａが白表示に変化する。そして、第１フレームＦ１が終了した後、続けてあるいは所定の時間をあけて、次のフレームの走査を開始する。
【００５２】
図６に示すように、第２フレームＦ２では、走査線駆動回路６１により奇数行の走査線６６（ｙ１、ｙ３、…）に選択電圧（Ｖsel）が印加される期間に全てのデータ線６８に第２電圧（Ｖ０）を供給し、偶数行の走査線６６（ｙ２、ｙ４、…）に選択電圧（Ｖsel）が印加される期間に全てのデータ線６８に第１電圧（Ｖｗ）を供給する。これにより、偶数行（ｉ＋１、ｉ＋３、…）の画素電極３５Ａにハイレベル（Ｈ）の信号が入力され、奇数行（ｉ、ｉ＋２、…）の画素電極３５Ｂにローレベル（Ｌ）の信号が入力されることとなる（図８（ｃ））。
【００５３】
そして、第２フレームＦ２では、画素電極３５Ｂと共通電極３７との間に生じる電位差によって画素電極３５Ｂ上の電気泳動素子３２が駆動される。これにより、図７（ｃ）に示すように、白色粒子２７が共通電極３７側に、黒色粒子２６が画素電極３５Ｂ側に引き寄せられて、偶数行の第２画素４０Ｂが白くなり始める。その際も、奇数行の画素電極３５Ａと偶数行の３５Ｂとの間に電位差が生じるため、行方向で隣り合う画素電極３５Ａ，３５Ｂ間に電界が発生して偶数行に属する第２画素４０Ｂが白表示になる。
このようにして、図８（ｃ）に示すように、偶数行（ｉ＋１、ｉ＋３、…）に属する全ての第１画素４０Ａが白表示に変化し、表示部５の全体が白表示状態になる。
【００５４】
なお、上記第２フレームＦ２が終了した時点においても表示部５の全体が十分に白にならない場合には、第１フレームＦ１及び第２フレームＦ２を複数回繰り返し実施する。
【００５５】
本実施形態においては、行方向で隣り合う画素電極３５Ａおよび画素電極３５Ｂ間に、共通電極３７の電位に対して同極性で互いに異なる電圧をそれぞれ印加する。
【００５６】
従来、リセット前において、行方向で隣り合う画素同士が互いに異なる表示であった場合に、階調を変化させて白になった画素と階調を変化させない画素（初めから白であった画素）との境界に薄い残像が発生するという問題があったが、上述した本実施形態の駆動方法によれば、残像の発生を抑制することができる。
【００５７】
すなわち、本実施形態の駆動方法では、行方向で隣り合う第１画素４０Ａの画素電極３５Ａ及び第２画素４０Ｂの画素電極３５Ｂ間に、共通電極３７に対して同極性であるとともに互いに異なる電圧を印加することにより、行方向で隣り合う画素電極３５Ａ，３５Ｂ間に電界を生じさせることができる。垂直方向の電界のみで駆動されると、白黒粒子が互いの移動を阻害するが、斜め電界があることで画素境界の粒子が斜め方向に駆動されるので粒子の移動方向が複数になり、移動が円滑になると思われる。これにより、残像の発生を抑えつつ画像を消去することができる。
【００５８】
さらに、画素の応答時間を短縮することができ、その結果、白消去リセットに係る時間が短縮されて消費電力を抑制することが可能となる。
【００５９】
（第２実施形態）
次に、本発明に係る第２実施形態の電気泳動表示装置の駆動方法について説明する。図９は、第２実施形態の電気泳動表示装置の駆動方法を示すタイミングチャートである。また、図１０は、第２実施形態に係る駆動方法の説明の対象とした画素の切替状態を示す図である。
【００６０】
第１フレームＦ１では、図９に示すように、各走査線６６（ｙ１、ｙ２、…、ｙｏ）に選択電圧（Ｖsel）が印加される期間において、奇数行のデータ線６８（ｘ１、ｘ３、…）に第１電圧（Ｖｗ）の電圧を供給し、偶数行のデータ線６８（ｘ２、ｘ４、…）に第２電圧（Ｖ０）の電圧を供給する。これにより、奇数列（ｊ、ｊ＋２、…）に接続された画素電極３５Ａにはハイレベル（Ｈ）の信号が入力され、偶数列（ｊ＋１、ｊ＋３、…）に接続された画素電極３５Ｂにはローレベル（Ｌ）の信号が入力されることになる（図１０（ａ））。
【００６１】
すると、第１フレームＦ１では、画素電極３５Ａ（ハイレベル）と共通電極３７との間に生じる電位差によって電気泳動素子３２が駆動され、図１０（ａ）に示すように、奇数列（ｊ、ｊ＋２、…）に属する第１画素４０Ａが白くなり始める。その際、奇数列（ｊ、ｊ＋２、…）の画素電極３５Ａと偶数列（ｊ＋１、ｊ＋３、…）の画素電極３５Ａとの間に電位差が生じているため、列方向で隣り合う画素電極３５Ａ，３５Ａ間に電界が発生して、奇数列（ｊ、ｊ＋２、…）に属する複数の第１画素４０Ａが白表示となる。
【００６２】
第２フレームＦ２では、図９に示すように、各走査線６６に選択電圧（Ｖsel）が印加される期間において、奇数列のデータ線６８に第２電圧（Ｖ０）を供給し、偶数列のデータ線６８に第１電圧（Ｖｗ）の電圧を供給する。これにより、奇数列のデータ線６８に接続された各画素電極３５Ａにはローレベル（Ｌ）の信号が入力され、偶数列のデータ線６８に接続された各画素電極３５Ｂにはハイレベル（Ｈ）の信号が入力されることになる。
【００６３】
すると、第２フレームＦ２では、各画素電極３５Ｂ（ハイレベル）と共通電極３７との間に生じる電位差によって電気泳動素子３２が駆動され、図１０（ｂ）に示すように、今度は偶数列（ｊ＋１、ｊ＋３、…）に属する第２画素４０Ｂが白くなり始める。その際、奇数列（ｊ、ｊ＋２、…）の画素電極３５Ａと偶数列（ｊ＋１、ｊ＋３、…）の画素電極３５Ａとの間に電位差が生じているため、列方向で隣り合う画素電極３５Ａ，３５Ａ間に電界が発生し、偶数列（ｊ＋１、ｊ＋３、…）に属する第２画素４０Ｂが白表示になる。
【００６４】
よって、列方向で隣り合う第１画素４０Ａ及び第２画素４０Ｂの画素電極３５Ａ,３５Ａ間に電位差が生じて電界が発生し、上記実施形態と同様の効果が得られる。また、第１実施形態の駆動方法よりもデータ線６８の電圧変化が抑えられるので、データ線６８の寄生容量による電力消費が軽減される。
【００６５】
（第３実施形態）
次に、本発明に係る第３実施形態の電気泳動表示装置の駆動方法について説明する。図１１は、第３実施形態の電気泳動表示装置の駆動方法を示すタイミングチャートである。また、図１２は、第３実施形態に係る駆動方法の説明の対象とした画素の切替状態を示す図である。
【００６６】
第１フレームＦ１では、図１１に示すように、走査線駆動回路６１による走査線６６の順次選択動作に同期して、奇数行の走査線６６（ｙ１、ｙ３、…）が選択される期間において、奇数列のデータ線６８（ｘ１、ｘ３、…）に第１電圧（Ｖｗ）の電圧を供給し、偶数列のデータ線６８（ｘ２、ｘ４、…）に第２電圧（Ｖ０）の電圧を供給する。また、偶数行（ｙ２、ｙ４、…）の走査線６６が選択される期間において、奇数列のデータ線６８に第２電圧（Ｖ０）の電圧を供給し、偶数列のデータ線６８に第１電圧（Ｖｗ）の電圧を供給する。各データ線６８にそれぞれ入力される矩形パルスのパルス幅は、走査線６６の選択期間に応じて設定される。
【００６７】
このようにして、図１２（ａ）に示すように、奇数行（ｉ、ｉ＋２、…）奇数列（ｊ、ｊ＋２、…）の画素電極３５Ａと、偶数行（ｉ＋１、ｉ＋３、…）偶数列（ｊ＋１、ｊ＋３、…）の画素電極３５Ａにはハイレベル（Ｈ）の信号が入力され、奇数行（ｉ、ｉ＋２、…）偶数列（ｊ＋１、ｊ＋３、…）の画素電極３５Ｂと奇数列（ｊ、ｊ＋２、…）偶数行（ｉ＋１、ｉ＋３、…）の画素電極３５Ａにはローレベル（Ｌ）の信号が入力されることになる。
【００６８】
すると、第１フレームＦ１では、奇数行奇数列の第１画素４０Ａと、偶数行偶数列の第１画素４０Ａとが白表示に変化する一方、奇数行偶数列の第２画素４０Ｂと、奇数列偶数行の第２画素４０Ｂとは元の黒表示状態が保持されたままとなる。このようにして、表示部５における全ての第１画素４０Ａが市松状に白表示となる。
【００６９】
第２フレームＦ２では、図１１に示すように、走査線駆動回路６１による走査線６６の順次選択動作に同期して、奇数行の走査線６６に選択電圧（Ｖsel）が印加される期間において、奇数列のデータ線６８に第２電圧（Ｖ０）の電圧を供給し、偶数列のデータ線６８に第１電圧（Ｖｗ）の電圧を供給する。また、偶数行の走査線６６に選択電圧（Ｖsel）が印加される期間において、奇数列のデータ線６８に第１電圧（Ｖｗ）の電圧を供給し、偶数列のデータ線６８に第２電圧（Ｖ０）の電圧を供給する。
【００７０】
これにより、図１２（ｂ）に示すように、奇数行奇数列の画素電極３５Ａと偶数行偶数列の画素電極３５Ｂにはローレベル（Ｌ）の信号が入力され、奇数行偶数列の画素電極３５Ｂと偶数行奇数列の画素電極３５Ａにはハイレベル電位（Ｈ）の信号が入力されることになる。
【００７１】
すると、第２フレームＦ２では、偶数行奇数列の第２画素４０Ｂと奇数行偶数列の第２画素４０Ｂが白表示に変化する一方、奇数行奇数列の第１画素４０Ａと偶数行偶数列の第１画素４０Ａは第１フレームＦ１において変化された白表示状態が保持されたままとなる。
このようにして表示部５の全体が白表示状態となる。
【００７２】
このように、行方向で隣り合う画素４０Ａ，４０Ｂの画素電極３５Ａ，３５Ｂ間、及び列方向で隣り合う画素４０Ａ，４０Ｂの画素電極３５Ａ，３５Ｂ間に異なる電圧を供給することによって、行方向及び列方向のそれぞれにおいて隣り合う画素電極３５Ａ，３５Ｂ間に電位差が生じて電界が発生し、上記実施形態と同様の効果が得られる。
【００７３】
ある画素４０の画素電極３５の電圧を第１電圧（Ｖｗ）とした時、当該画素４０の上下方向（行方向）および左右方向（列方向）の４方向の斜めに位置する画素、つまり、図１２（ａ），（ｂ）に示すように、ある画素４０（４０Ａ）の角部に位置する４つの画素４０（４０Ｂ）の各画素電極３５（３５Ｂ）の電圧を第２電圧（Ｖ０）とすることで、隣接する画素電極３５間に電圧差が生じるようにする。
【００７４】
本実施形態の場合は、各画素電極３５Ａ（３５Ｂ）の４辺方向それぞれに電界が生じるので、所定の黒表示画像が表示された表示部５の白表示リセットを実施する場合において、効率よく白黒粒子を移動させることができ、元の黒表示画像と背景との境界における残像発生の抑制効果が大きくなる。
【００７５】
（第４実施形態）
次に、本発明に係る第４実施形態の電気泳動表示装置の駆動方法について説明する。図１３は、第４実施形態に係る駆動方法を示すタイミングチャートである。
【００７６】
先の各実施形態では、走査線駆動回路６１により各行の走査線６６を１本ずつ選択していたが、本実施形態においては、複数ある奇数行の走査線６６毎あるいは複数ある偶数行の走査線６６毎にそれぞれ一括して選択することによって、１フレーム期間（１垂直走査期間）の短縮を図るものである。
【００７７】
第１フレームＦ１では、まず図１３に示すように、表示部５における複数の奇数行の走査線６６（ｙ１，ｙ３、…）を同時に選択している期間において、全てのデータ線６８（ｘ１〜ｘｐ）に第１電圧（Ｖｗ）を供給する。次に、複数の偶数行の走査線６６（ｙ２，ｙ４、…）を同時に選択している期間において、全てのデータ線６８（ｘ１〜ｘｐ）に第２電圧（Ｖ０）を供給する。すると、表示部５における奇数行の全ての第１画素４０Ａが一度に白表示に変化する（図８（ｂ）参照）。一方、表示部５における偶数行の全ての第２画素４０Ｂは黒表示のままとなる。
【００７８】
第２フレームＦ２では、複数の奇数行の走査線６６を複数同時に選択している期間において、全てのデータ線６８に第２電圧（Ｖ０）を供給する。次に、複数の偶数行の走査線６６を同時に選択している期間において、全てのデータ線６８に第１電圧（Ｖｗ）を供給する。すると、表示部５における偶数行の全ての第２画素４０Ｂが一度に白表示に変化する（図８（ｃ）参照）。このようにして、表示部５の全体が白表示状態となる。よって、行方向で隣り合う画素４０Ａ，４０Ｂの画素電極３５Ａ，３５Ｂ間に電位差が生じて電界が発生し、上記実施形態と同様の効果が得られる。
【００７９】
このように、奇数行の複数の走査線６６毎あるいは偶数行の複数の走査線６６毎に同時に選択することによって、１フレーム期間内において２度の電圧印加で済むため、１フレーム期間を大幅に短縮することが可能である。また、データ線６８の電圧変化が抑えられるので、データ線６８の寄生容量による電力消費が軽減される。
【００８０】
さらに、２つの状態を速やかに切り替えできるので、より効果的に残像を抑制できる。ここで、各フレームにおいて全ての走査線６６に対して電圧を印加する必要はなく、例えば、走査線６６の数が４８０本の場合、４分割して１２０本ずつの単位で上記駆動を行っても良い。これにより、同時に選択される行が少なくなるので、表示体２に流れ込む電流の上昇を抑制することができ、電気泳動表示装置１の電源構成を簡素化することができる。
なお、第1フレームＦ１、第２フレームＦ２のいずれにおいても、奇数行及び偶数行のうちいずれを先に選択してもよい。
【００８１】
（第５実施形態）
次に、本発明に係る第５実施形態の電気泳動表示装置の駆動方法について説明する。図１４は、第５実施形態の電気泳動表示装置の駆動方法を示すタイミングチャートである。
【００８２】
第１フレームＦ１では、図１４に示すように、走査線駆動回路６１により全行の走査線６６（ｙ１〜ｙｏ）を同時に選択し、奇数列のデータ線６８（ｘ１，ｘ３，…）に第１電圧（Ｖｗ）を供給し、偶数列のデータ線６８（ｘ２，ｘ４，…）に第２電圧（Ｖ０）を供給する。
すると、第１フレームＦ１では、複数ある奇数列の全ての第１画素４０Ａが一度に白くなる。第１フレームＦ１が終了した直後の表示部５の状態は、図１０（ａ）に示した状態と同様となる。
【００８３】
第２フレームＦ２では、走査線駆動回路６１により全行の走査線６６（ｙ１…ｙｏ）を同時に選択し、奇数列のデータ線６８に第２電圧（Ｖ０）を供給し、偶数列のデータ線６８に第１電圧（Ｖｗ）を供給する。
すると、第２フレームＦ２では、複数ある偶数列の全ての第２画素４０Ｂが一度に白くなる。第２フレームＦ２が終了した直後の表示部５の状態は、図１０（ｂ）に示した状態と同様となる。
このようにして、表示部５の全体が白表示状態となる。
【００８４】
本実施形態の駆動方法によれば、全ての走査線６６を一度に選択している期間において、奇数行あるいは偶数行のデータ線６８に対して所定の電圧を印加するようにしたことにより、列方向で隣り合う画素４０Ａ，４０Ｂの画素電極３５Ａ，３５Ｂ間に電位差が生じて電界が発生し、上記実施形態と同様の効果が得られる。
【００８５】
また、走査線６６を全選択することによってデータ線６８の電圧変化が抑えられるので、データ線６８の寄生容量による電力消費が軽減される。また、画像消去に係る処理時間をより短縮させることができる。これにより、省電力性により優れた電気泳動装置の駆動方法となる。
なお、第1フレームＦ１、第２フレームＦ２のいずれにおいても、奇数列と偶数列のうちいずれを先に選択してもよい。
【００８６】
（第６実施形態）
次に、本発明に係る第６実施形態の電気泳動表示装置の駆動方法について説明する。図１５は、第６実施形態の電気泳動表示装置の駆動方法を示すタイミングチャートである。
【００８７】
第１フレームＦ１では、図１５に示すように、走査線駆動回路６１により複数ある奇数行の走査線６６（ｙ１，ｙ３、…）を同時に選択している期間において、奇数列のデータ線６８（ｘ１、ｘ３、…）に第１電圧（Ｖｗ）を供給し、偶数列のデータ線６８（ｘ２、ｘ４、…）に第２電圧（Ｖ０）を供給する。次に、複数ある偶数行の走査線６６（ｙ２，ｙ４、…）を同時に選択している期間において、奇数列のデータ線６８（ｘ１、ｘ３、…）に第２電圧（Ｖ０）を供給し、偶数列のデータ線６８（ｘ２、ｘ４、…）に第１電圧（Ｖｗ）を供給する。
【００８８】
これにより、奇数行奇数列の画素電極３５Ａと偶数行偶数列の画素電極３５Ａには第１電圧（Ｖｗ）が印加され、偶数行奇数列の画素電極３５Ｂと奇数行偶数列の画素電極３５Ｂには第２電圧（Ｖ０）が印加されることになる。第１フレームＦ１が終了した直後の表示部５の状態は、図１２（ａ）に示した状態と同様となる。
【００８９】
第２フレームＦ２では、走査線駆動回路６１により奇数行の走査線６６を同時に選択している期間において、奇数列のデータ線６８に第２電圧（Ｖ０）を供給し、偶数列のデータ線６８に第１電圧（Ｖｗ）を供給する。次に、走査線駆動回路６１により偶数行の走査線６６を同時に選択している期間において、奇数列のデータ線６８に第１電圧（Ｖｗ）を印加し、偶数列のデータ線６８に第２電圧（Ｖ０）を供給する。
【００９０】
これにより、奇数行奇数列の画素電極３５Ａと偶数行偶数列の画素電極３５Ａには第２電圧（Ｖ０）が印加され、偶数行奇数列の画素電極３５Ｂと奇数行偶数列の画素電極３５Ｂには第１電圧（Ｖｗ）が印加されることになる。第２フレームＦ２が終了した直後の表示部５の状態は、図１２（ｂ）に示した状態と同様となる。
【００９１】
このように、最終的には第３実施形態と同じ画素電圧となり、当該実施形態と同様の効果が得られる。また、第３実施形態においては、各行の走査線６６を１行ずつ選択するようになっているが、本実施形態においては、奇数行の複数の走査線６６、あるいは複数の偶数行の走査線６６を同時に選択していることから、第３実施形態よりも１フレーム期間を大幅に短縮することができる。
【００９２】
本実施形態においては、先のフレームでは１画素単位の市松状に第１電圧（Ｖｗ）を印加し、残りの画素に対しては第２電圧（Ｖ０）を印加することとし、また、次のフレームでは、先のフレームにおいて第１電圧（Ｖｗ）が印加された画素に第２電圧（Ｖ０）を印加し、前のフレームにおいて第２電圧（Ｖ０）が印加された画素４０に対して第１電圧（Ｖｗ）を印加することとした。これにより、画素４０の４辺方向それぞれに電界が生じるので、所定の黒表示画像が表示された表示部５の白表示リセットを実施する場合において、元の黒表示画像と背景との境界における残像発生の抑制効果が大きくなる。
【００９３】
（第７実施形態）
次に、本発明に係る第７実施形態の電気泳動表示装置の駆動方法について説明する。図１６は、本実施形態の電気泳動表示装置の駆動方法を示すタイミングチャートである。また、図１７は、本実施形態の駆動方法の説明の対象とした画素の切替状態を示す図である。
本実施形態においては２行１列画素単位で市松状に第１電圧を印加する。
【００９４】
第１フレームＦ１では、走査線駆動回路６１により各行の走査線６６を１本ずつ選択して各画素４０に所定の画像信号を入力するが、この際、ある隣り合う２本の走査線６６，６６に対して同じ電圧を印加し、その後に連続する２本の走査線６６，６６に対しては前２本の走査線６６，６６が選択されたときに印加した電圧とは異なる電圧を印加する。
【００９５】
具体的には、まず、ｙ１行目の走査線６６を選択している期間において奇数列（ｘ１、ｘ３、…）のデータ線６８に第２電圧（Ｖ０）を供給し、偶数列（ｘ２、ｘ４、…）のデータ線６８に第１電圧（Ｖｗ）を供給する。続けてｙ２行目の走査線６６を選択している期間において奇数列のデータ線６８に第２電圧（Ｖ０）を供給し、偶数列のデータ線６８に第１電圧（Ｖｗ）を供給する。
【００９６】
続けて、ｙ３行目の走査線６６を選択している期間において奇数列のデータ線６８に第１電圧（Ｖｗ）を供給し、偶数列のデータ線６８に第２電圧（Ｖ０）を供給する。続けてｙ４行目の走査線６６を選択している期間において奇数列のデータ線６８に第１電圧（Ｖｗ）を供給し、偶数列のデータ線６８に第２電圧（Ｖ０）を供給する。
【００９７】
不図示であるが、ｙ５行目（不図示）およびｙ６行目（不図示）の走査線６６を選択している期間においては、ｙ１行目およびｙ２行目の走査線６６の場合と同様に、奇数列のデータ線６８に対して第２電圧（Ｖ０）を印加し、偶数列のデータ線６８に対して第１電圧（Ｖｗ）をそれぞれ印加する。
また、ｙ７行目（不図示）およびｙ８行目（不図示）の走査線６６を選択している期間においては、ｙ３行目およびｙ４行目の走査線６６の場合と同様に、奇数列のデータ線６８に対して第１電圧（Ｖｗ）を印加し、偶数列のデータ線６８に対して第２電圧（Ｖ０）をそれぞれ印加する。
以降、行方向で隣り合う２本ずつの走査線６６，６６に対して異なる電圧を印加する動作を周期的に繰り返し行う。
【００９８】
このようにして、図１７（ａ）に示すように、第１の画素群Ｓごとに、つまり第１の画素群Ｓを形成する２行１列の２つの画素電極３５Ａ，３５Ａを単位として市松状に第１電圧（Ｖｗ）が印加され、残りの第２の画素群Ｔを形成する画素電極３５Ｂ，３５Ｂに第２電圧（Ｖ０）が印加される。
【００９９】
第２フレームＦ２では、第１フレームＦ１において白表示とされなかった画素４０に対して第１電圧（Ｖｗ）を印加する。ｙ１行目あるいはｙ２行目の走査線６６を選択している期間においては奇数列のデータ線６８に第１電圧（Ｖｗ）を供給し、偶数列のデータ線６８に第２電圧（Ｖ０）を供給する。続けてｙ３行目あるいはｙ４行目の走査線６６を選択している期間においては、奇数列目のデータ線６８に第２電圧（Ｖ０）を供給し、偶数列目のデータ線６８に第１電圧（Ｖｗ）を供給する。
【０１００】
続けて、ｙ５行目あるいはｙ６行目の走査線６６を選択している期間においては奇数列のデータ線６８に第１電圧（Ｖｗ）を供給するとともに偶数列のデータ線６８に第２電圧（Ｖ０）を供給する。
以降、２本ずつの走査線６６，６６に対して異なる電圧を印加する動作を周期的に繰り返し行う。
【０１０１】
このようにして、図１７（ｂ）に示すように、第２の画素群Ｔごとに、つまり第２の画素群Ｔを形成する２行１列の画素電極３５Ｂ，３５Ｂを単位として市松状に第１電圧（Ｖｗ）が印加され、第１の画素群Ｓを形成する画素電極３５Ａ，３５Ａには第２電圧（Ｖ０）が印加される。
【０１０２】
これにより、列方向で隣り合う画素電極３５Ａと画素電極３５Ｂとの間に電位差が生じるとともに、ｙ２行目（例えば、ｉ＋１行目）の画素電極３５Ａとｙ３行目（例えば、ｉ＋２行目）の画素電極３５Ｂとの間、ｙ４行目の画素電極３５Ａとｙ５行目の画素電極３５Ｂとの間など、異なる電圧が印加された画素電極３５Ａ，３５Ｂ間に電界が発生し、ハイレベル（Ｈ）の信号が印加された画素４０が白表示に変化する。
【０１０３】
本実施形態における駆動方法によれば、２行ずつ連続して同じ電圧を印加するため、データ線６８の電圧変化が抑えられ、データ線６８の寄生容量による電力消費が軽減される。
【０１０４】
（第８実施形態）
次に、本発明に係る第８実施形態の電気泳動表示装置の駆動方法について説明する。図１８は、本実施形態の電気泳動表示装置の駆動方法を示すタイミングチャートである。また、図１９は、本実施形態の駆動方法の説明の対象とした画素の切替状態を示す図である。
本実施形態においても２行１列画素単位で市松状に第１電圧を印加する。
【０１０５】
本実施形態では、２本おきに配置された複数の走査線６６を同時に選択する。
第１フレームＦ１では、まずｙ１行目およびｙ２行目、ｙ５行目（不図示）およびｙ６行目（不図示）、…、の複数の走査線６６を同時に選択している期間において、奇数列のデータ線６８（ｘ１、ｘ３、…）に第１電圧（Ｖｗ）を供給し、偶数列のデータ線６８（ｘ２、ｘ４、…）に第２電圧（Ｖ０）を供給する。
続けて、ｙ３行目およびｙ４行目、ｙ７行目（不図示）およびｙ８行目（不図示）、…、の複数の走査線６６を同時に選択している期間において、奇数列のデータ線６８に第２電圧（Ｖ０）を供給し、偶数列のデータ線６８に第１電圧（Ｖｗ）を供給する。
【０１０６】
このようにして、図１９（ａ）に示すように、第１の画素群Ｓごとに、つまり第１の画素群Ｓを形成する２行１列の画素電極３５Ａ，３５Ａに第１電圧（Ｖｗ）が印加され、第２の画素群Ｔを形成する２行１列の画素電極３５Ｂ，３５Ｂに第２電圧（Ｖ０）が印加される。これにより、第１の画素群Ｓを形成する２画素を単位として市松状に白表示になる。
【０１０７】
第２フレームＦ２では、まずｙ１行目およびｙ２行目、ｙ５行目およびｙ６行目、…の複数の走査線６６を同時に選択している期間において、奇数列のデータ線６８に第２電圧（Ｖ０）を供給し、偶数列のデータ線６８に第１電圧（Ｖｗ）を供給する。
続けて、ｙ３行目およびｙ４行目、ｙ７行目およびｙ８行目、…の複数の走査線６６を同時に選択している期間において、奇数列のデータ線６８に第１電圧（Ｖｗ）を供給し、偶数列のデータ線６８に第２電圧（Ｖ０）を供給する。
以降、２本ずつの走査線６６，６６に対して同様の走査を周期的に繰り返し行う。
【０１０８】
このようにして、図１９（ｂ）に示すように、第２の画素群Ｔごとに、つまり第２の画素群Ｔを形成する２行１列の画素電極３５Ｂ，３５Ｂに第１電圧（Ｖｗ）が印加され、第１の画素群Ｓの画素電極３５Ａ，３５Ａには第２電圧（Ｖ０）が印加される。これにより、第２の画素群Ｔを形成する２画素を単位として市松状に白表示になり、表示部５の全体が白表示状態になる。
【０１０９】
本実施形態における駆動方法では、第１フレームＦ１において２本おきに配置された複数の走査線６６を同時に選択して２行１列の２画素単位で市松状に第１電圧（Ｖｗ）を印加し、第２フレームＦ２においては、第１フレームＦ１にて非選択とされた走査線６６を２本おきに選択し、第１電圧（Ｖｗ）が印加されなかった画素に対して第２電圧（Ｖ０）を印加することとしたので、１フレーム期間を大幅に短縮することができる。また、２行ずつ連続して同じ電圧を印加するため、第７実施形態の駆動方法よりもデータ線６８の電圧変化が抑えられ、データ線６８の寄生容量による電力消費が軽減される。
【０１１０】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【０１１１】
尚、本実施形態では、表示部５が走査線駆動回路６１とデータ線駆動回路６２とを備えるアクティブマトリクス方式のものである場合を例に挙げて説明したが、表示部５としてはセグメント駆動方式のものであってもよい。
【０１１２】
（電子機器）
次に、上記実施形態の電気泳動表示装置１を、電子機器に適用した場合について説明する。
図２０は、腕時計（電子機器）１０００の正面図である。腕時計１０００は、時計ケース１００２と、時計ケース１００２に連結された一対のバンド１００３とを備えている。
時計ケース１００２の正面には、上記各実施形態の電気泳動表示装置からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【０１１３】
図２１は電子ペーパー（電子機器）１１００の構成を示す斜視図である。電子ペーパー１１００は、上記実施形態の電気泳動表示装置を表示領域１１０１に備えている。電子ペーパー１１００は可撓性を有し、従来の紙と同様の質感及び柔軟性を有する書き換え可能なシートからなる本体１１０２を備えて構成されている。
【０１１４】
図２２は、電子ノート（電子機器）１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【０１１５】
以上の腕時計１０００、電子ペーパー１１００、及び電子ノート１２００によれば、本発明に係る電気泳動表示装置が採用されているので、簡素な構成で多階調表示を実現した表示手段を備えた電子機器となる。
【０１１６】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動装置は好適に用いることができる。
【符号の説明】
【０１１７】
１  電気泳動表示装置（電気泳動装置）、３  コントローラー（制御部）、５  表示部、３０  素子基板、３１  対向基板、３２  電気泳動素子（電気光学素子）、３５  ３５Ａ  ３５Ｂ  画素電極、３７  共通電極（対向電極）、４０  画素、４０Ａ  第１画素（第１の画素）、４０Ｂ  第２画素（第２の画素）、６１  走査線駆動回路、６２  データ線駆動回路、６６  走査線、６８  データ線、１０００  腕時計（電子機器）、１１００  電子ペーパー（電子機器）、１２００  電子ノート（電子機器）
【図１】
2011107249.tif 000003
【図２】
2011107249.tif 000004
【図３】
2011107249.tif 000005
【図４】
2011107249.tif 000006
【図５】
2011107249.tif 000007
【図６】
2011107249.tif 000008
【図７】
2011107249.tif 000009
【図８】
2011107249.tif 000010
【図９】
2011107249.tif 000011
【図１０】
2011107249.tif 000012
【図１１】
2011107249.tif 000013
【図１２】
2011107249.tif 000014
【図１３】
2011107249.tif 000015
【図１４】
2011107249.tif 000016
【図１５】
2011107249.tif 000017
【図１６】
2011107249.tif 000018
【図１７】
2011107249.tif 000019
【図１８】
2011107249.tif 000020
【図１９】
2011107249.tif 000021
【図２０】
2011107249.tif 000022
【図２１】
2011107249.tif 000023
【図２２】
2011107249.tif 000024